(57)【要約】【課題】  格子のインテリアとしての外観を損なうことなく、構造物への取付強度及び取付の安定性を向上させる。【解決手段】  格子用止め具１０は、構造物１に固定して取り付けられる構造物側取付部１２と、構造物１に取り付けるべき格子２に固定して取り付けられる格子側取付部１４とを有する。格子側取付部１４は、格子側取付部１４の上下方向の端部から格子２側に突出するようにして形成されたかえし２４を有する。このかえし２４は、格子２の前面２ａを除く外周面に当接して格子２を支持する。このかえし２４は、格子側取付部１４を、格子２に取り付ける締付螺旋２０に対応する箇所に設けられている。【選択図】        図１
2006312824.tif 000002
【特許請求の範囲】
【請求項１】
構造物に固定して取り付けられる構造物側取付部と前記構造物に取り付けるべき格子に固定して取り付けられる格子側取付部とを有し、前記格子を前記構造物に取り付ける格子用止め具において、前記格子側取付部は、前記格子側取付部の上下方向の端部から前記格子側に突出するようにして形成され前記格子の前面を除く外周面に当接して前記格子を支持するかえしを備えていることを特徴とする格子用止め具。
【請求項２】
請求項１に記載された格子用止め金具であって、前記かえしは、前記格子の下面にのみ当接して前記格子を下方から支持することを特徴とする格子用止め具。
【請求項３】
請求項１に記載された格子用止め金具において、前記かえしは、前記格子の上面及び下面にのみ当接して前記格子を上下から狭持して支持することを特徴とする格子用止め具。
【請求項４】
請求項１乃至請求項３のいずれかに記載された格子用止め金具であって、前記かえしは、前記格子側取付部の上下方向の端部から延びるようにして前記格子側取付部と一体に形成されていることを特徴とする格子用止め具。
【請求項５】
請求項１乃至請求項４のいずれかに記載された格子用止め金具であって、前記かえしは、前記格子側取付部を、前記格子に取り付ける締付螺旋に対応する箇所に設けられていることを特徴とする格子用止め具。
【請求項６】
請求項１乃至請求項３のいずれかに記載された格子用止め金具であって、前記かえしは、前記格子側取付部とは別体に形成されたかえし部材から形成され、前記かえし部材は、前記格子側取付部に面するかえし固定部と前記かえし固定部の上下方向の端部から延びるようにして前記かえし固定部と一体に形成されたかえし本体とから成り、前記格子側取付部に前記構造物側から跨るようにして配置されることを特徴とする格子用止め具。
【請求項７】
請求項６に記載された格子用止め金具であって、前記かえし部材は、前記格子側取付部を前記格子に取り付ける締付螺旋により前記格子側取付部と共に前記格子に締め付けられることを特徴とする格子用止め具。
【請求項８】
請求項１乃至請求項７のいずれかに記載された格子用止め具であって、前記格子側取付部は、前記格子側取付部を前記格子に取り付けるための締付螺旋を任意の位置で締め付けることができる締付位置調整手段を有していることを特徴とする格子用止め具。
【請求項９】
請求項１乃至請求項８のいずれかに記載された格子用止め具であって、前記格子側取付部は、前記構造物側から前記格子に締め付けられることを特徴とする格子用止め具。
【請求項１０】
請求項１乃至請求項９のいずれかに記載された格子用止め具であって、前記格子側取付部は、前記構造物側取付部と別体に形成され、前記格子に取り付けられる取付部本体と、前記取付部本体から延びるようにして形成され前記構造物側取付部に重畳して配置される締付部とから成り、前記格子用止め具は、前記締付部を前記構造物側取付部に任意の位置で取り付けることができる位置調節手段を有していることを特徴とする格子用止め具。
【請求項１１】
構造物に取り付けるべき格子に固定して取り付けられる格子側取付部を有する格子用止め具に取り付けられるかえし部材であって、前記取付部本体に面するかえし固定部と前記かえし固定部の上下方向の端部から延びるようにして前記かえし固定部と一体に形成されたかえし本体とから成り、前記格子側取付部に前記構造物側から跨るようにして配置されて、前記格子側取付部の上下方向の端部から前記格子側に突出して前記格子の前面を除く外周面に当接して前記格子を支持することを特徴とするかえし部材。
【請求項１２】
請求項１１に記載されたかえし部材であって、前記格子側取付部を前記格子に取り付ける締付螺旋により前記格子側取付部と共に前記格子に締め付けられることを特徴とするかえし部材。
【発明の詳細な説明】
【技術分野】
【０００１】
本発明は、例えば、窓等に取り付けられる格子等を、躯体等の構造物に固定して取り付ける格子用止め具の改良に関し、特に、格子を安定的に支持することに関するものである。
【背景技術】
【０００２】
窓等に設置される格子等は、窓からの外界への視覚を確保しつつ、窓から家屋内に不審者等が侵入するのを防止するために用いられる。この格子は、一般的に、枠体状の横材と縦材と組み合わせて成り、落下を防止するため、専ら横材を、格子用止め具を介して躯体やサッシ等の構造物に固定することにより、取り付けられていた。
【０００３】
この場合、従来は、一部が開口した枠体状の横材の内部に、螺旋止め板を設置し、この螺旋止め板に格子用止め具を螺旋止めすることにより、格子用止め具に連結されていた（例えば、特許文献１乃至３等参照）。
【０００４】
しかし、この従来技術では、例えば、螺旋止め板へ締め付けた締付螺旋の締付状態によっては、必ずしも格子を安定的に支持することができず、螺旋の締付が緩んだ場合等には、格子がガタつくおそれがあった。
【０００５】
また、格子の荷重が専ら締付螺旋に加わるため、強度の面でも必ずしも充分とはいえず、その結果、容易に破壊されるおそれがあったため、防犯という格子の本来の目的の更なる向上が望まれていた。
【０００６】
この場合、これらの安定性や強度の向上は、枠体状の横体を全周に亘ってわたって中空角筒形状の格子用止め具を使用することにより達成することも考えられるが、一方で、インテリア製品として、外観上の美感にも配慮することが必要な格子においては、格子用止め具が格子の前面に露出すると見栄えが低下する問題が生ずる。
【０００７】
また、格子の取付強度や支持の安定性を確保するために、格子を支持すべき適切な支点は、格子のサイズや設置箇所との関係で変わるため、これに充分に対応して、適切な箇所で格子を支持することが望まれる。更に、格子は、既に多数の箇所に設置されているため、これらの既に設置された格子についても、コストを抑制しつつ、更にその防犯性能を高めることが期待されている。
【特許文献１】特開平８−１７７３３７号公報
【特許文献２】特開平１１−２２３３７号公報
【特許文献３】特開平１１−２２３３８号公報
【発明の開示】
【発明が解決しようとする課題】
【０００８】
本発明が解決しようとする課題は、上記の問題点に鑑み、格子の支持強度及び取付の安定性を高めて、安全性を向上させることができ、更に、安定性を確保する上で適切な箇所で格子を支持することができると同時に既存の格子にも簡易に対応してその機能を高めることができる格子用止め具、及び、そのような格子用止め具に使用することができるかえし部材を提供することにある。
【課題を解決するための手段】
【０００９】
本発明は、上記の課題を解決するための第１の手段として、構造物に固定して取り付けられる構造物側取付部と構造物に取り付けるべき格子に固定して取り付けられる格子側取付部とを有し、格子を構造物に取り付ける格子用止め具において、格子側取付部は、格子側取付部の上下方向の端部から格子側に突出するようにして形成され格子の前面を除く外周面に当接して格子を支持するかえしを備えていることを特徴とする格子用止め具を提供するものである。
【００１０】
本発明は、上記の課題を解決するための第２の手段として、上記第１の解決手段において、かえしは、格子の下面にのみ当接して格子を下方から支持することを特徴とする格子用止め具を提供するものである。
【００１１】
本発明は、上記の課題を解決するための第３の手段として、上記第１の解決手段において、かえしは、格子の上面及び下面にのみ当接して格子を上下から狭持して支持することを特徴とする格子用止め具を提供するものである。
【００１２】
本発明は、上記の課題を解決するための第４の手段として、上記第１乃至第３のいずれかの解決手段において、かえしは、格子側取付部の上下方向の端部から延びるようにして格子側取付部と一体に形成されていることを特徴とする格子用止め具を提供するものである。
【００１３】
本発明は、上記の課題を解決するための第５の手段として、上記第１乃至第４のいずれかの解決手段において、かえしは、格子側取付部を、格子に取り付ける締付螺旋に対応する箇所に設けられていることを特徴とする止め具を提供するものである。
【００１４】
本発明は、上記の課題を解決するための第６の手段として、上記第１乃至第３のいずれかの解決手段において、かえしは、格子側取付部とは別体に形成されたかえし部材から形成され、このかえし部材は、格子側取付部に面するかえし固定部とかえし固定部の上下方向の端部から延びるようにしてかえし固定部と一体に形成されたかえし本体とから成り、格子側取付部に構造物側から跨るようにして配置されることを特徴とする格子用止め具を提供するものである。
【００１５】
本発明は、上記の課題を解決するための第７の手段として、上記第６の解決手段において、かえし部材は、格子側取付部を格子に取り付ける締付螺旋により格子側取付部と共に格子に締め付けられることを特徴とする格子用止め具を提供するものである。
【００１６】
本発明は、上記の課題を解決するための第８の手段として、上記第１乃至第７のいずれかの解決手段において、格子側取付部は、格子側取付部を格子に取り付けるための締付螺旋を任意の位置で締め付けることができる締付位置調整手段を有していることを特徴とする格子用止め具を提供するものである。
【００１７】
本発明は、上記の課題を解決するための第９の手段として、上記第１乃至第８のいずれかの解決手段において、格子側取付部は、構造物側から格子に締め付けられることを特徴とする格子用止め具を提供するものである。
【００１８】
本発明は、上記の課題を解決するための第１０の手段として、上記第１乃至第９のいずれかの解決手段において、格子側取付部は、構造物側取付部と別体に形成され、格子に取り付けられる取付部本体と、取付部本体から延びるようにして形成され構造物側取付部に重畳して配置される締付部とから成り、格子用止め具は、締付部を構造物側取付部に任意の位置で取り付けることができる位置調節手段を有していることを特徴とする格子用止め具を提供するものである。
【００１９】
更に、本発明は、上記の課題を解決するため、上記第１乃至第３及び第６乃至第１０の格子用止め具に使用することができる次の解決手段をも提供するものである。即ち、本発明は、上記の課題を解決するための第１１の手段として、構造物に取り付けるべき格子に固定して取り付けられる格子側取付部を有する格子用止め具に取り付けられるかえし部材であって、取付部本体に面するかえし固定部と、このかえし固定部の上下方向の端部から延びるようにしてかえし固定部と一体に形成されたかえし本体とから成り、格子側取付部に構造物側から跨るようにして配置されて、格子側取付部の上下方向の端部から格子側に突出して格子の前面を除く外周面に当接して格子を支持することを特徴とするかえし部材を提供するものである。
【００２０】
本発明は、上記の課題を解決するための第１２の手段として、上記第１１の解決手段において、格子側取付部を格子に取り付ける締付螺旋により格子側取付部と共に格子に締め付けられることを特徴とするかえし部材を提供するものである。
【発明の効果】
【００２１】
本発明によれば、上記のように、格子の横材を支持するかえしを有しているため、このかえしにより横材が安定的に保持されると同時に取付強度を向上させて防犯性を高めることができる実益がある。
【００２２】
この場合、同時に、本発明によれば、上記のように、格子の横材を、前面を除く少なくとも下方から支持しているため、インテリア製品としての格子の外観を損なうことなく、同時に格子の取付強度や安定性を向上させることができる実益がある。
【００２３】
また、本発明によれば、上記のように、かえしを格子用止め具の格子側取付部とは別体として形成しているため、かえしを、格子の横材を支持するのに適切な箇所に設置して支持することができ、格子の取付強度及び安定性をより一層向上させることができる実益がある。
【００２４】
この場合、同時に、かえしが格子用止め具の格子側取付部とは別体として形成されているため、既設の格子用止め具にも後付けにより簡易に設置して、その防犯性を低コストで高めることができる実益がある。
【００２５】
加えて、この場合、本発明によれば、上記のように、かえし部材を、格子用止め具の格子側取付部を格子に取り付ける締付螺旋により格子側取付部に締め付けているため、部品点数や取付作業の工程数の増加を招くことがなく、軽量性の維持や作業の容易性を確保することができる実益がある。
【００２６】
更に、本発明によれば、上記のように、締付螺旋を構造物側から締め付けて格子に取り付けているため、外部側からはドライバーなどの工具を差し込むことができず、容易に取り外すことができないため、防犯性が高まる実益がある。
【００２７】
また、本発明によれば、上記のように、格子側取付部の構造物側取付部に対する取付位置を調整することができる位置調節手段を有しているため、構造物から格子までの距離を設置箇所に合わせて適宜調節することができると同時に、その距離を狭めることにより、ドライバー等の工具を挿入することができるスペースを消して、より一層防犯性を高めることができる実益がある。
【発明を実施するための最良の形態】
【００２８】
本発明の実施の形態を図面を参照しながら詳細に説明すると、図１及び図２は、本発明の格子用止め具１０を示し、この格子用止め具１０は、図１及び図２に示すように、躯体やサッシ等の構造物１に固定して取り付けられる構造物側取付部１２と、この構造物１に取り付けるべき格子２に固定して取り付けられる格子側取付部１４とを有している。
【００２９】
構造物取付部１２は、図１に示すように、構造物１に対する取付面となる構造物取付部１２Ａと、この構造物取付部１２Ａから直角方向に延びるようにして形成され格子側取付部１４に連結される締付部１２Ｂとの２辺から成る略Ｌ字形状を有する。一方、格子側取付部１４も、同様に、図１に示すように、格子２に対する取付面となる格子取付部１４Ａと、この格子取付部１４Ａから直角方向に延びるようにして形成され構造物側取付部１２に連結される締付部１４Ｂとの２辺から成る略Ｌ字形状を有する。
【００３０】
これらの構造物側取付部１２と格子側取付部１４とは、図１に示すように、構造物取付部１２Ａと格子取付部１４Ａとが相互に反対の方向に伸びるように配置して、各々の締付部１２Ｂ、１４Ｂとを重畳させて固定螺旋１６により、相互に締め付けられることにより連結されて、格子用止め具１０を構成する。
【００３１】
この場合、図２に示すように、格子用止め具１０は、格子側取付部１４の締付部１４Ｂを、構造物側取付部１２に任意の位置で取り付けることができる位置調節手段１８を有している。この位置調整手段１８は、具体的には、図示の実施の形態では、図２に示すように、構造物側取付部１２の締付部１２Ｂに形成され、格子側取付部１４の締付部１２殿締付に使用される固定螺旋１６に対応する位置に形成された２つの長孔１２ａからなり、固定螺旋１６を、これらの長孔１２ａの任意の位置で締め付けることにより、格子側取付部１４の構造物側取付部１２に対する締付位置を調節することができる。
【００３２】
具体的には、格子側取付部１４を、図２において、より右側方向に配置へ配置することにより、格子側取付部１４の格子取付部１４Ａと構造物側取付部１２の構造物取付部１２Ａとの間の距離、即ち、構造物１と格子２との間の距離を長く設定することができ、逆に、格子側取付部１４を、図２において、より左側方向に配置へ配置することにより、格子側取付部１４の格子取付部１４Ａと構造物側取付部１２の構造物取付部１２Ａとの間の距離、即ち、構造物１と格子２との間の距離を短く設定することができる。
【００３３】
これにより、構造物１から格子２までの距離を、格子２の設置箇所に合わせて適宜調節することができると同時に、その距離を狭めることにより、ドライバー等の工具を挿入することができるスペースを消して、より一層防犯性を高めることができる。
【００３４】
また、格子側取付部１４は、図１及び図２に示すように、格子取付部１４Ａを貫通するようにして設置された締付螺旋２０を、一部が開口した枠体状の横材２Ａの内部に設置された螺旋止め板２２に締め付けることにより、格子２に取り付けられる。この場合、締付螺旋２０は、構造物１側から締め付けるように設定することが望ましい。これにより、格子２の外部側からはドライバー等の工具を差し込むことができず、容易に取り外すことができないため、防犯性が高まる。
【００３５】
本発明の格子用止め具１０は、図１及び図２に示すように、格子側取付部１４は、格子取付部１４Ａの上下方向の端部から格子２側に突出するようにして形成されたかえし２４を備えている。
【００３６】
このかえし２４は、図１及び図２に示す実施の形態では、格子側取付部１４の上下方向の端部から延びるようにして格子側取付部１４と一体に形成されている。この場合には、かえし２４となる部分を格子側取付部１４と一体的に型抜きや切り抜き加工した後、かえし２４となる部分のみを折り曲げ加工することにより形成することができる。
【００３７】
このかえし２４は、図１及び図２に示すように、格子２の横材２Ａの前面２ａを除く外周面に当接して格子２を支持する。具体的には、図示の実施の形態では、図１及び図２に示すように、かえし２４は、格子２の上面２ｂ及び下面２ｃにのみ当接して格子２を上下から狭持するようにして支持する。このため、格子２の横材２Ａは、締付螺旋２０のみならず、このかえし２４によっても支持されるため、横材２Ａは、安定的に保持されると同時に取付強度が向上し、防犯性が高まる。この場合、特に、格子２の横材２Ａを、前面２ａを除く少なくとも下方から支持しているため、前面２ａからかえし２４が目立つことがなく、インテリア製品としての格子の外観を維持しつつ、格子２の取付強度や安定性を向上させることができる。
【００３８】
なお、このかえし２４の設定箇所は、格子側取付部１４を格子２に取り付ける締付螺旋２０に対応する箇所に設けることが望ましい。具体的には、図示の実施の形態では、格子取付部１４Ａには、締付螺旋２０が貫通し、締付螺旋２０を任意の位置で締め付けることができる締付位置調整手段である長孔１４ａが形成され、かえし２４は、図１に示すように、この長孔１４ａが存在する範囲内の適宜の箇所に設定することが望ましい。これにより、締め付けに適切な位置、即ち、格子２を安定的に保持するのに適した箇所で、締付螺旋２０及びかえし２４によって格子２の荷重を受け止めることができるため、格子２を安定的に支持することができる。
【００３９】
また、図示の実施の形態では、かえし２４を、格子２の上面２ｂ及び下面２ｃに当接させたが、必ずしも上面２ｂ及び下面２ｃに限定されるものではなく、格子２を安定的に保持することができれば、少なくとも、下面２ｃにのみ当接するように、設置することもできる。これによれば、より一層、格子２の外観を損なうことがない。
【００４０】
次に、本発明の他の実施の形態について、図３及び図４を参照しながら説明すると、図１及び図２の実施の形態では、かえし２４を格子取付部１４Ａと一体的に形成したが、図３及び図４に示すように、かえし２４を、格子側取付部１４（格子取付部１４Ａ）とは別体に形成されたかえし部材２６から形成することもできる。
【００４１】
このかえし部材２６は、図３及び図４に示すように、格子側取付部１４に面するかえし固定部２６Ａと、このかえし固定部２６Ａの上下方向の端部から延びるようにしてかえし固定部２６Ａと一体に形成されたかえし本体２６Ｂとから成っている。
【００４２】
従って、このかえし部材２６を、図３及び図４に示すように、格子側取付部１４に構造物２側から跨るようにして配置することにより、かえし本体２６Ｂがかえし２４となり、このかえし２４となるかえし本体２６Ｂが、本体格子側取付部１４の格子取付部１４Ａの上下方向の端部から格子２側に突出して、格子２の前面２ａを除く外周面（上面２ｂ及び下面２ｃ）に当接して格子２を支持する。
【００４３】
この場合、このかえし部材２６のかえし固定部２６Ａは、図３及び図４に示すように、格子側取付部１４の格子取付部１４Ａを格子２に取り付ける締付螺旋２０が貫通する貫通孔２６ａを有し、かえし部材２６は、この貫通孔２６ａを貫通する締付螺旋２０により、格子取付部１４Ａと共に格子２に締め付けることができる。
【００４４】
従って、締付螺旋２０を締め付けることができる長孔１４ａが存在する箇所であれば任意の位置にかえし２４を設置することができ、かえし２４を、格子２の横材２Ａを支持するのに適切な箇所に設置して支持することができるため、格子２の取付強度及び安定性をより一層向上させることができる。
【００４５】
この場合、同時に、かえし部材２６を、格子側取付部１４の格子取付部１４Ａを格子２に取り付ける締付螺旋２０をそのまま利用して、格子側取付部１４に締め付けにより取り付けているため、部品点数や取付作業の工程数の増加を招くことがなく、軽量性の維持や作業の容易性を確保することができると共に、既設の格子用止め具１０にもかえし部材２６を後付けにより簡易に設置することにより、かえし２４を設定することができ、その防犯性を低コストで高めることができる。
【産業上の利用可能性】
【００４６】
本発明の格子用止め具は、躯体やサッシ等の各種構造物に格子を取り付けるのに広く適用することができる。
【図面の簡単な説明】
【００４７】
【図１】本発明の格子用止め具の平面図である。
【図２】本発明の格子用止め具の側面図である。
【図３】本発明の格子用止め具の他の実施の形態の平面図である。
【図４】本発明の格子用止め具の他の実施の形態の側面図である。
【符号の説明】
【００４８】
１  構造物
２  格子
２Ａ  横材
２ａ  前面
２ｂ  上面
２ｃ  下面
１０  格子用止め具
１２  構造物側取付部
１２Ａ  構造物取付部
１２Ｂ  締付部
１２ａ  長孔
１４  格子側取付部
１４Ａ  格子取付部
１４Ｂ  締付部
１４ａ  長孔
１６  固定螺旋
１８  位置調整手段
２０  締付螺旋
２２  螺旋止め板
２４  かえし
２６  かえし部材
２６Ａ  かえし固定部
２６Ｂ  かえし本体
２６ａ  貫通孔
【図１】
2006312824.tif 000003
【図２】
2006312824.tif 000004
【図３】
2006312824.tif 000005
【図４】
2006312824.tif 000006